(57)【要約】【課題】  意図しない操作を低減するのに有利なレンズ装置を提供すること。【解決手段】  設定が可変のレンズ装置（１００）は、当該レンズ装置の操作を行う操作装置との通信を行う通信部（１１３）と、当該通信により、当該操作装置が当該設定の変更の機能を有していないとの判断をされた場合は、当該設定を標準設定とする処理部（１１０）と、を有する。【選択図】  図１
2020167628.tif 000002
【特許請求の範囲】
【請求項１】
設定が可変のレンズ装置であって、
前記レンズ装置の操作を行う操作装置との通信を行う通信部と、
前記通信により、前記操作装置が前記設定の変更の機能を有していないとの判断をされた場合は、前記設定を標準設定とする処理部と、
を有することを特徴とするレンズ装置。
【請求項２】
前記標準設定の内容を記憶している第１の記憶部と、
前記標準設定とは異なる設定の内容を記憶している第２の記憶部と、
を有することを特徴とする請求項１に記載のレンズ装置。
【請求項３】
前記操作装置が前記判断をされる場合は、前記操作装置が表示部を有していない場合を含むことを特徴とする請求項１または請求項２に記載のレンズ装置。
【請求項４】
前記処理部は、前記操作装置から前記標準設定とすることの禁止を指示する信号を前記通信部が受信し、かつ前記標準設定とは異なる設定をされている場合は、前記標準設定とはしないことを特徴とする請求項１ないし請求項３のうちいずれか１項に記載のレンズ装置。
【請求項５】
可動の光学部材を有し、
前記設定は、前記光学部材の駆動に関する、
ことを特徴とする請求項１ないし請求項４のうちいずれか１項に記載のレンズ装置。
【請求項６】
前記設定は、前記駆動の特性と、予め記憶された前記駆動の内容の再生とのうち少なくとも一方に関することを特徴とする請求項５に記載のレンズ装置。
【請求項７】
請求項１ないし請求項６のうちいずれか１項に記載のレンズ装置と、
前記レンズ装置の操作を行う操作装置と、
を含むことを特徴とする光学装置。
【請求項８】
請求項１ないし請求項６のうちいずれか１項に記載のレンズ装置と、
前記レンズ装置の像面に配された撮像素子と、
を含むことを特徴とする撮像装置。
【請求項９】
請求項７に記載の光学装置と、
前記光学装置の像面に配された撮像素子と、
を含むことを特徴とする撮像装置。
【発明の詳細な説明】
【技術分野】
【０００１】
本発明は、レンズ装置、光学装置、および撮像装置に関するものである。
【背景技術】
【０００２】
テレビジョン撮影等に用いられるレンズ装置は、種々の機能を備え、ユーザは、撮影現場で、その環境や好みに応じて、種々の機能の設定を行いうる。そのようなレンズ装置は、当該設定の変更や確認のために、表示部および操作部を備えている。特許文献１は、レンズ装置に接続された外部装置に当該設定のための画面を表示させることにより、当該外部装置からレンズ装置の設定の変更や確認を容易に行えるようにすることを開示している。
【先行技術文献】
【特許文献】
【０００３】
【特許文献１】特開２０１６−１０９９０４号公報
【発明の概要】
【発明が解決しようとする課題】
【０００４】
レンズ装置と、当該レンズ装置に接続されて当該レンズ装置の操作を行う操作装置との組合せにおいて、ユーザの手元にある当該操作装置にレンズ装置の設定の変更や確認のための表示部や操作部を設けることが考えられる。そのような場合には、次のような課題がある。すなわち、表示部を備えた操作装置の場合は、当該表示部により当該設定の内容の確認ができるものの、表示部を備えていない操作装置の場合は、そのような確認ができない。そのため、ユーザは、表示部のない操作装置を用いる場合には、現在の設定内容を把握できないことから、レンズ装置の意図しない操作をしてしまいうる。本発明は、例えば、意図しない操作を低減するのに有利なレンズ装置を提供することを目的とする。
【課題を解決するための手段】
【０００５】
本発明の一つの側面は、設定が可変のレンズ装置であって、
前記レンズ装置の操作を行う操作装置との通信を行う通信部と、
前記通信により、前記操作装置が前記設定の変更の機能を有していないとの判断をされた場合は、前記設定を標準設定とする処理部と、
を有することを特徴とするレンズ装置である。
【発明の効果】
【０００６】
本発明によれば、例えば、意図しない操作を低減するのに有利なレンズ装置を提供することができる。
【図面の簡単な説明】
【０００７】
【図１】実施形態１に係るレンズ装置の構成例を示す図
【図２】操作装置の構成例を示す図
【図３】実施形態１に係るレンズ装置の処理の流れを例示する図
【図４】実施形態２に係るレンズ装置の処理の流れを例示する図
【図５】レンズ装置および操作装置の外観を例示する図
【図６】撮像装置の構成例を示す図
【発明を実施するための形態】
【０００８】
以下、添付図面を参照して本発明の実施形態を説明する。なお、実施形態を説明するための全図を通して、原則として（断りのない限り）、同一の部材等には同一の符号を付し、その繰り返しの説明は省略する。
【０００９】
〔実施形態１〕
図５は、レンズ装置および操作装置の外観を例示する図である。同図において、１００は、レンズ装置であり、レンズ装置１００は、ここでは、ビューファインダを備えたカメラ装置（撮像装置本体）に装着されている。また、２００は、操作装置であり、操作装置２００は、レンズ装置１００の操作を行うためにレンズ装置１００に接続されている。操作装置２００は、レンズ装置内の操作対象によって複数の種類がある。ここで、当該操作対象（後述の可動の光学部材１５０）は、例えば、合焦（物体距離調整）用のレンズユニットや、変倍（焦点距離調整）用のレンズユニット、開口（ＦナンバーまたはＴナンバー調整用の）絞り等を含みうる。操作装置２００は、ユーザの手元でレンズ装置１００の設定の確認や変更を行えるように、表示部や操作部を備えているのが好ましい。表示部を備えた操作装置と、表示部を備えていない操作装置とが併用される場合には、既述の課題がある。すなわち、表示部を備えた操作装置の場合は、当該表示部により設定内容の確認ができるものの、表示部を備えていない操作装置の場合は、そのような確認ができない。そのため、ユーザは、表示部のない操作装置を用いる場合には、現在の設定内容を把握できないことから、レンズ装置の意図しない操作をしてしまいうる。
【００１０】
以下、図１ないし図３を参照して、本実施形態を説明する。まず、図１は、実施形態１に係るレンズ装置の構成例を示す図である。同図において、レンズ装置１００は、処理部１１０と、第１の記憶部１１１と、第２の記憶部１１２と、通信部１１３と、表示部１１４と、操作部材１１５とを含んでいる。また、レンズ装置１００は、制御部１２０と、駆動部１３０と、検出部１４０と、光学部材１５０とを含んでいる。ここで、処理部１１０は、単数ないし複数のＣＰＵ等の論理デバイスを含んで構成されうる。処理部１１０は、後述の操作装置から送信された操作部材の操作量に基づいて、可動の光学部材１５０を駆動するための指令を生成する。制御部１２０は、当該指令に基づいて操作量を生成して駆動部１３０の駆動の制御を行う。駆動部１３０は、モータ等のアクチュエータと、その駆動回路（ドライバ）とを含みうる。当該制御により、光学部材１５０が移動する。検出部１４０は、光学部材１５０の状態（位置）を検出し、その検出信号（状態信号）は制御部１２０や処理部１１０へ入力される。このような構成により、制御部１２０は、光学部材１５０の状態のフィードバック制御を行いうる。なお、制御部１２０と、駆動部１３０と、検出部１４０と、光学部材１５０とは、簡単のため、１組しか構成されていないが、複数組構成されていてもよい。すなわち、例えば、物体距離調整用光学部材、焦点距離調整用光学部材、および光量調整用光学部材のそれぞれに、制御部１２０と駆動部１３０と検出部１４０とが構成されていてもよい。
【００１１】
第１の記憶部１１１と第２の記憶部１１２とは、レンズ装置１００の動作に関する可変の設定の内容を記憶している。当該可変の設定の項目は、例えば、防振機能を有効にするか（ＯＮまたはＯＦＦ）や、撮影中にタリー灯を点灯するか（ＯＮまたはＯＦＦ）に関するものとしうる。また、現在のレンズ装置の状態（物体距離や焦点距離、Ｆ値等）を示すインジケータ（指示器）を有効にするか（ＯＮまたはＯＦＦ）等に関するものとしうる。これらは、撮影環境に応じて設定されるべき項目といえる。当該可変の設定の項目は、光学部材の駆動の特性と、予め記憶された光学部材の駆動の内容の再生とのうち少なくとも一方に関するものとしうる。例えば、サーボ機構により移動するズーム用レンズユニットの移動開始や移動終了におけるサーボ特性に関するものとしうる。また、サーボ機構により移動するフォーカス用レンズユニットの操作感度（単位操作量あたりのレンズの移動量）に関するものとしうる。これらは、操作に対する各ユーザの好みに応じて設定されるべき項目といえる。
【００１２】
表示部１１４は、第１の記憶部１１１および第２の記憶部１１２に記憶されているレンズ装置１００の設定内容を表示するのに使用されうる。また、操作部１１５は、その操作により、表示部１１４の表示内容（設定用画面を含む）を切り替えたり、設定内容を変更したりするのに使用されうる。第１の記憶部１１１は、レンズ装置のデフォルトの設定内容（設定値）または操作部１１５によって設定された内容（設定値）を記憶している。第２の記憶部１１２は、後述の操作装置によって設定された内容（設定値）が記憶されている。
【００１３】
ここで、図２は、操作装置の構成例を示す図である。同図は、レンズ装置１００に接続されて光学部材１５０を駆動するために操作される操作装置２００および操作装置３００の構成例を示している。まず、操作装置２００は、処理部２１０と、操作部材２１１と、操作スイッチ２１２と、通信部２１３と、表示部２１４と、操作部２１５とを含んで構成されている。操作部材２１１は、光学部材１５０を駆動するために操作される部材である。処理部２１０は、操作部材２１１の操作量に対応する信号（光学部材の目標状態を表す信号）を生成し、通信部２１３は、当該信号を符号化してレンズ装置１００へ送信する。操作スイッチ２１２は、撮影（撮像）に関するレンズ装置の種々の機能の中から割り当てられた機能を実行するために使用されうる。操作スイッチ２１２を操作すると、処理部２１０は、操作スイッチ２１２に割り当てられた機能の実行を指示する信号を生成し、通信部２１３は、当該信号を符号化してレンズ装置１００へ送信する。操作スイッチ２１２には、例えば、レンズ装置１００からカメラ装置へリターン信号を送信する機能（リターン機能）を割り当てることができる。この機能は、複数のカメラで撮影を行っている場合に、他のカメラで撮影されて放送に使用されている映像の信号を受信して当該映像を確認するためのものである。また、操作スイッチ２１２には、レンズ装置１００にプリセットされた光学部材１５０の状態を再生（再現）する種々の機能の１つを割り当てることができる。
【００１４】
表示部２１４は、操作装置２００による設定の内容を表示し、操作部２１５は、表示部２１４の表示内容を切り替えたり、設定内容（設定値）を変更したりするのに使用されうる。操作部２１５は、例えば、操作部材２１１の操作感度を変更したり、操作スイッチ２１２に割り当てられる機能を変更したりすることができる。また、表示部２１４および操作部２１５は、操作装置２００の通信部２１３とレンズ装置１００の通信部１１３とを介して、レンズ装置１００の種々の動作に関する設定を確認したり、変更したりするのに使用しうる。
【００１５】
つづいて、操作装置３００について説明する。操作装置３００は、操作装置２００の構成から表示部２１４および操作部２１５を除いた構成といえる。すなわち、処理部３１０と、操作部材３１１と、操作スイッチ３１２と、通信部３１３との機能は、上述の処理部２１０と、操作部材２１１と、操作スイッチ２１２と、通信部２１３との機能とそれぞれ同様である。
【００１６】
操作装置２００（操作装置３００）は、レンズ装置１００に接続されると、ケーブルを介してレンズ装置１００から電源が投入される（図５参照）。電源が投入されると、操作装置２００（操作装置３００）の処理部２１０（処理部３１０）は、通信部２１３（通信部３１３）を介して接続コマンドをレンズ装置１００に送信する。そうして、レンズ装置１００と操作装置２００（操作装置３００）との間の通信接続が確立する。レンズ装置１００の処理部１１０は、接続された操作装置がレンズ装置１００の設定の変更を行う機能を有しているか（換言すれば、表示部を有しているか又は操作装置２００であるか）判断を行う。そして、処理部１１０は、当該判断に基づいて、レンズ装置１００の動作に関する設定内容（設定値）を選択する。処理部１１０は、接続された操作装置がレンズ装置１００の設定の変更を行う機能を有していない（例えば操作装置３００である）場合は、第１の記憶部１１１に記憶されている設定内容を選択する。そして、処理部１１０は、当該設定内容に基づいてレンズ装置１００の動作に係る処理を行う。また、処理部１１０は、接続された操作装置がレンズ装置１００の設定の変更を行う機能を有している（例えば操作装置２００である）場合は、第２の記憶部１１１に記憶されている設定内容を選択する。そして、処理部１１０は、当該設定内容に基づいてレンズ装置１００の動作に係る処理を行う。さらに、操作装置２００によって変更された設定内容は、第２の記憶部１１２に記憶され、その後のレンズ装置１００の動作に係る処理に反映される。なお、処理部１１０による、レンズ装置１００に接続された操作装置の識別は、例えば、つぎのように行いうる。すなわち、当該識別は、操作装置２００または３００が接続コマンドとともに、自身の機種名等のＩＤ情報や、設定機能または表示部の有無を示す情報をレンズ装置１００に送信することにより行いうる。
【００１７】
ここで、図３は、実施形態１に係るレンズ装置の処理の流れを例示する図である。この処理は、レンズ装置１００に操作装置を接続した場合に、処理部１１０によって行われるものである。同図において、ステップＳ１０１では、操作装置が接続されたか判断を行い、操作装置が接続された場合は、ステップＳ１０２に処理が進められ、操作装置が接続されていない場合は、ステップＳ１０１の処理が繰り返される。ステップＳ１０２では、接続された操作装置がレンズ装置１００の設定の変更を行う機能を有しているか判断を行う。接続された操作装置が当該機能を有している場合は、ステップＳ１０３に処理が進められ、接続された操作装置が当該機能を有していない場合は、ステップＳ１０４に処理が進められる。ステップＳ１０３では、第２の記憶部１１２に記憶されている設定内容をレンズ装置１００の動作に係るものとして選択する。すなわち、操作装置２００がレンズ装置１００に接続された場合は、第２の記憶部１１２に記憶されている設定内容を選択する。さらに、上述のように、操作装置２００によって変更された設定内容は、第２の記憶部１１２に記憶され、その後のレンズ装置１００の動作に反映されることにもなる。ところが、ステップＳ１０４では、第１の記憶部１１１に記憶されている設定内容をレンズ装置１００の動作に係るものとして選択する。すなわち、操作装置３００がレンズ装置１００に接続された場合は、第１の記憶部１１１に記憶されている設定内容を選択する。操作装置３００は、表示部がないため、レンズ装置１００の設定内容を確認することができない。そのため、第１の記憶部１１１に記憶されている設定内容、すなわち、レンズ装置１００の標準設定（標準設定内容または標準設定値）に基づいてレンズ装置を動作させるようにする。なお、ここで、「標準」は、換言すれば「デフォルト」であり、「ユーザが設定を省略した場合の」を意味する。こうすることにより、表示部のない操作装置３００がレンズ装置１００に接続された場合における上述の課題に対処しうる。すなわち、標準設定から設定の変更がなされていたとしてもユーザが当該変更の内容を把握できずにレンズ装置に対して意図しない操作をしてしまうのを低減しうる。
【００１８】
なお、以上では、接続された操作装置がレンズ装置の設定変更機能を有しているか否かによって、第１の記憶部１１１および第２の記憶部１１２のうちいずれかに記憶された設定内容を採用するようにしたが、それには限られず、次のようにしてもよい。すなわち、上述した、撮影環境に応じて設定されるべき項目と操作に対する各ユーザの好みに応じて設定されるべき項目とのうち前者については、ステップＳ１０４においても、第２の記憶部１１２に記憶されている設定内容を選択するようにしてもよい。このようにしても、後者については、第１の記憶部１１２に記憶されている設定内容（標準設定）を選択するため、ユーザが意図しない操作を低減できることになるからである。また、このようにする場合、レンズ装置１００を同じ撮影環境で使用する場合に、前者に係る設定を再び行う手間を省くことができるという利点もある。また、後者についても、第１の記憶部１１２に記憶されている設定内容（標準設定）のうち全部を選択するのではなく、第１の記憶部１１２に記憶されている設定内容のうち意図しない操作となる可能性の高い一部を選択するようにしてもよい。以上説明したように、本実施形態によれば、例えば、意図しない操作を低減するのに有利なレンズ装置を提供することができる。
【００１９】
〔実施形態２〕
以下、実施形態２について説明する。本実施形態に係るレンズ装置の構成例および操作装置の構成例は、図１および図２を参照して説明した実施形態１に係るレンズ装置の構成例および操作装置の構成例と同様である。ここで、レンズ装置１００の実際の運用では、それに接続する操作装置を替えても、撮影環境やユーザが変わらない場合もある。そのような場合は、レンズ装置１００の設定を変更する機能または表示部を有しない操作装置に替えても、レンズ装置１００における設定内容をユーザは把握しているため、当該設定内容を標準の設定内容（標準設定または標準値）に変更する必要はない。そこで、本実施形態は、このような場合のレンズ装置の構成例を提供するものである。
【００２０】
本実施形態においては、レンズ装置１００の通信部１１３は、接続された操作装置３００の通信部３１３から、設定内容を標準設定とすることの禁止を指示する信号（禁止信号）を受信する。処理部１１０は、当該禁止信号の受信を検出すると、接続された操作装置がレンズ装置１００の設定を変更する機能を有していない場合であっても、第２の記憶部１１２の設定内容をレンズ装置１００の動作に係る設定内容として選択（維持）する。なお、当該禁止信号は、例えば、操作部材３１１または操作スイッチ３１２を操作しながらレンズ装置１００に操作装置３００を接続した場合に通信部３１３から送信されるように構成しうる。
【００２１】
図４は、実施形態２に係るレンズ装置の処理の流れを例示する図である。この処理は、レンズ装置１００に操作装置３００を接続した場合に行われる処理である。同図において、ステップＳ２０１では、操作装置が接続されたか判断を行い、操作装置が接続された場合は、ステップＳ２０２に処理が進められ、操作装置が接続されていない場合は、ステップＳ２０１の処理が繰り返される。ステップＳ２０２では、接続された操作装置がレンズ装置１００の設定の変更を行う機能を有しているか判断を行う。接続された操作装置が当該機能を有している場合は、ステップＳ２０３に処理が進められ、接続された操作装置が当該機能を有していない場合は、ステップＳ２０４に処理が進められる。ステップＳ２０３では、第２の記憶部１１２に記憶されている設定内容をレンズ装置１００の動作に係るものとして選択する。すなわち、操作装置２００がレンズ装置１００に接続された場合は、第２の記憶部１１２に記憶されている設定内容を選択する。さらに、上述のように、操作装置２００によって変更された設定内容は、第２の記憶部１１２に記憶され、その後のレンズ装置１００の動作に反映されることにもなる。ステップＳ２０４では、設定内容を標準設定とすることの禁止を指示する信号（禁止信号）の受信を検出したか判断を行う。禁止信号の受信を検出していない場合は、ステップＳ２０５に処理が進められ、禁止信号の受信を検出した場合は、ステップＳ２０３に処理が進められる。
【００２２】
ステップＳ２０５では、第１の記憶部１１１に記憶されている設定内容をレンズ装置１００の動作に係るものとして選択する。すなわち、操作装置３００がレンズ装置１００に接続され、かつ禁止信号の受信を検出していない場合は、第１の記憶部１１１に記憶されている設定内容を選択する。操作装置３００は、表示部がないため、レンズ装置１００の設定内容を確認することができない。そのため、第１の記憶部１１１に記憶されている設定内容、すなわち、レンズ装置１００の標準設定（標準設定内容または標準設定値）に基づいてレンズ装置を動作させるようにする。こうすることにより、表示部のない操作装置３００がレンズ装置１００に接続された場合における上述の課題に対処しうる。すなわち、標準設定から設定の変更がなされていたとしてもユーザが当該変更の内容を把握できずにレンズ装置に対して意図しない操作をしてしまうのを低減しうる。ところが、操作装置３００がレンズ装置１００に接続され、かつ禁止信号の受信を検出した場合は、第２の記憶部１１２に記憶されている設定内容を選択する。これにより、レンズ装置１００に接続されたのが操作装置３００であっても、撮影環境やユーザが変わらない状況、すなわち、レンズ装置１００の設定内容を標準設定にする必要がない状況では、第２の記憶部１１２に記憶されている設定内容を選択すればよい。こうすることによっても、表示部のない操作装置３００がレンズ装置１００に接続された場合における上述の課題に対処しうる。すなわち、標準設定から設定の変更がなされていたとしてもユーザが当該変更の内容を把握できずにレンズ装置に対して意図しない操作をしてしまうのを低減しうる。また、レンズ装置に接続されるのが操作装置３００に替わっても、撮影環境およびユーザが変わらないという状況では、ユーザは設定内容を把握している。このため、レンズ装置の設定を標準設定としなくても、レンズ装置に対して意図しない操作をしてしまうのを低減しうる。
【００２３】
なお、以上の本実施形態では、予め定められた上述のような条件を満たすかによって、第１の記憶部１１１および第２の記憶部１１２のうちいずれかに記憶された設定内容を採用するようにしたが、それには限られず、次のようにしてもよい。すなわち、上述した、撮影環境に応じて設定されるべき項目と操作に対する各ユーザの好みに応じて設定されるべき項目とのうち前者については、ステップＳ２０５においても、第２の記憶部１１２に記憶されている設定内容を選択するようにしてもよい。このようにしても、後者については、第１の記憶部１１２に記憶されている設定内容（標準設定）を選択するため、ユーザが意図しない操作を低減できることになるからである。また、このようにする場合、レンズ装置１００を同じ撮影環境で使用する場合に、前者に係る設定を再び行う手間を省くことができるという利点もある。また、後者についても、第１の記憶部１１２に記憶されている設定内容（標準設定）のうち全部を選択するのではなく、第１の記憶部１１２に記憶されている設定内容のうち意図しない操作となる可能性の高い一部を選択するようにしてもよい。以上説明したように、本実施形態によれば、例えば、意図しない操作を低減するのに有利なレンズ装置を提供することができる。
【００２４】
〔撮像装置に係る実施形態〕
図６は、撮像装置の構成例を示す図である。当該撮像装置は、以上に例示したレンズ装置１００と、当該レンズ装置における光学部材１５０を操作するための信号を生成して当該レンズ装置に送信する操作装置２００または３００とを含んで構成されている。また、当該撮像装置は、レンズ装置１００の像面に配された撮像素子４００ａを有するカメラ装置（撮像部）４００を含んで構成されている。本実施形態に係る撮像装置によれば、例えば、意図しない操作を低減するのに有利な撮像装置を提供することができる。ここで、レンズ装置１００またはレンズ装置１００における光学部材１５０と、操作装置２００または３００とは、光学装置を構成しうる。よって、レンズ装置１００の像面または光学部材１５０に係る像面は、光学装置の像面ともいう。
【００２５】
以上、本発明の好ましい実施形態について説明したが、本発明はこれらの実施形態に限定されないことはいうまでもなく、その要旨の範囲内で種々の変形及び変更が可能である。例えば、レンズ装置１００の標準設定内容（デフォルト設定内容）は、レンズ装置１００の表示部１１４および操作部１１５等を用いて、特定の権限を有した者により書き換え可能とされていてもよい。
【符号の説明】
【００２６】
１００  レンズ装置
１１０  処理部
１１３  通信部
【図１】
2020167628.tif 000003
【図２】
2020167628.tif 000004
【図３】
2020167628.tif 000005
【図４】
2020167628.tif 000006
【図５】
2020167628.tif 000007
【図６】
2020167628.tif 000008